(57)【要約】      （修正有）【課題】出水管の取り外し可能構造により出水管の内部に水溶性シリコン結晶を内蔵する容器が取り付けられ、水にケイ素を増加することが可能になり、水の健康度を向上することができる蛇口を提供する。【解決手段】蛇口は給水管１及び出水管３を含み、給水管の内部に弁体２が取り付けられ、出水管と給水管とが取り外し可能に連結され、出水管の内部に容器４が設置され、容器は両端が開口し、開口している位置にそれぞれ濾過構造が設置され、容器の内部に水溶性シリコン結晶が収容されている。【選択図】図３
0003218706.tif 000002
【実用新案登録請求の範囲】
【請求項１】
給水管及び出水管を含み、当該給水管の内部に弁体が取り付けられる蛇口であって、
前記出水管と前記給水管とが取り外し可能に連結され、前記出水管の内部に容器が設置され、前記容器は両端が開口し、両端の開口している位置にそれぞれ濾過構造が設置されており、当該容器の内部に水溶性シリコン結晶がさらに収容され、前記弁体を開くと、水が給水管から前記容器を経由して出水管へと流れ込み、前記水溶性シリコン結晶が水にケイ素を添加可能となることを特徴とする蛇口。
【請求項２】
前記容器は、筒体、及び、前記筒体と前記出水管とを連結するための連結ヘッドを含み、２つの前記濾過構造は、それぞれ、連結ヘッドの給水側及び筒体の出水側に設置されていることを特徴とする請求項１に記載の蛇口。
【請求項３】
前記濾過構造は、連結ヘッドの給水側又は筒体の出水側に一体成型されている濾過孔構造であることを特徴とする請求項２に記載の蛇口。
【請求項４】
前記連結ヘッドは、２つの、異なる径を有する円柱体の組み合わせであり、各円柱体の外側面のいずれにもネジが開設され、そのうち小径の円柱体は前記筒体にネジ連結されている一方、大径の円柱体は前記出水管の内壁にネジ連結され、大径の円柱体は中央部に給水溝が開設され、小径の円柱体には給水溝と連通する濾過孔が開設され、前記筒体の出水側にストッパが設けられ、当該ストッパと筒体とが一体成型され、且つストッパには複数の濾過孔が開設されていることを特徴とする請求項３に記載の蛇口。
【請求項５】
前記容器は、筒体及び連結ヘッドを含み、前記連結ヘッドは両端がそれぞれ前記筒体及び前記出水管に連結され、前記筒体の他端が給水管に連結され、２つの前記濾過構造は、それぞれ、前記筒体の両端に設置されていることを特徴とする請求項１に記載の蛇口。
【請求項６】
前記濾過構造は濾過網であり、２つの前記濾過網は前記筒体の両端に係止されていることを特徴とする請求項５に記載の蛇口。
【請求項７】
前記連結ヘッドは２つの、異なる径を有する円柱体の組み合わせであり、各円柱体の外側面のいずれにもネジが開設され、そのうち大径の円柱体は前記筒体にネジ連結されている一方、小径の円柱体は前記出水管の内壁にネジ連結されており、前記筒体は、給水管にネジ連結されるために、他端がネジ端から延出していることを特徴とする請求項６に記載の蛇口。
【考案の詳細な説明】
【技術分野】
【０００１】
本考案は蛇口分野に関し、具体的には、蛇口に関する。
【背景技術】
【０００２】
蛇口は水弁の通常の呼び方であり、水流の流量・開閉を制御するために用いられ、水節約の効果を有する。蛇口の世代交代の速度が非常に速くて、旧式の鋳鉄プロセスによるものから電気めっきの回転ボタン式のものに発展し、さらに、ステンレス鋼の一温度で一制御による蛇口、ステンレス鋼の二温度で二制御による蛇口、キッチン半自動蛇口に発展してきた。しかしながら、伝統的な蛇口は、水流の管道の開閉弁のみとして機能し、飲用水による健康を向上する機能を有していない。
【考案の概要】
【考案が解決しようとする課題】
【０００３】
本考案の目的は、上記課題を解決するための蛇口を提供し、蛇口の出水管を取り外し可能にするとともに、可溶性シリコン結晶を当該構造に入れて置き、出水するときに水にケイ素を添加可能となり、飲用水の健康が向上される。
【課題を解決するための手段】
【０００４】
本考案は、以下の技術案により上記の目的を達成する。
【０００５】
給水管及び出水管を含み、当該給水管の内部に弁体が取り付けられる蛇口であって、出水管と給水管とが取り外し可能に連結され、出水管の内部に容器が設置され、容器は両端が開口し、両端の開口している位置にそれぞれ濾過構造が設置され、当該容器の内部に水溶性シリコン結晶がさらに収容されており、弁体を開くと、水が給水管から容器を経由して出水管へと流れ込み、水溶性シリコン結晶が水にケイ素を添加可能となる。
【考案の効果】
【０００６】
その有益な効果は、出水管の取り外し可能構造により出水管の内部に水溶性シリコン結晶を内蔵する容器が取り付けられることにより、水にケイ素を増加することが可能になり、水の健康度を向上することである。
【図面の簡単な説明】
【０００７】
【図１】本考案に係る実施例１の正面図である。
【図２】図１の左側図である。
【図３】図２のＡ−Ａにおける断面図である。
【図４】本考案に係る実施例１における容器の斜視図である。
【図５】本考案に係る実施例１における容器の正面図である。
【図６】図５の左側図である。
【図７】図５の右側図である。
【図８】本考案に係る実施例２の正面図である。
【図９】図８のＢ−Ｂにおける断面図である。
【図１０】本考案に係る実施例２における容器の斜視図である。
【図１１】本考案に係る実施例２における容器の正面図である。
【図１２】本考案に係る出水管と給水管とが取り外し可能構造を示す模式図である。
【考案を実施するための形態】
【０００８】
本考案の目的や技術案及びメリットをより明瞭にするために、以下に、本考案の技術案を詳細に説明する。
【０００９】
＜実施例＞
図１〜図７に示すように、本考案は蛇口を提供し、給水管１及び出水管３を含み、当該給水管１の内部に弁体２が取り付けられ、出水管３と給水管１とが取り外し可能に連結され、出水管３の内部に容器４が設置され、容器４は両端が開口しており、両端の開口している位置にそれぞれ濾過構造が設置され、当該容器４の内部に水溶性シリコン結晶がさらに収容されて、弁体２を開くと、水が給水管１から容器４を経由して出水管３へと流れ込み、水溶性シリコン結晶が水にケイ素を添加可能になる。
【００１０】
さらに、出水管３と給水管１とがネジ山式又は係止バックルにより取り外し可能に連結されており、好ましくは、図１２に示すように、出水管３と給水管１との連結位置に相互に結合する嵌め付け部材が取り付けられることにより、出水管３を給水管１に連結可能にしている。
【００１１】
前記技術案によれば、出水管３と給水管１とが取り外し可能に連結され、出水管３の内部に容器４が設置され、容器４は両端が開口し、水が給水管１から出水管３へと流れ込む際に当該容器４を経由し、その時に水溶性シリコン結晶がケイ素を水に溶解して、水にケイ素を添加するようになり、濾過構造は、水溶性シリコン結晶が水の流れにより流されてしまうことを防ぐことができる。
【００１２】
本願の重要考案として、容器４は、筒体４０１、及び、筒体４０１と出水管３とを連結するための連結ヘッド４０２を含み、２つの濾過構造は、それぞれ連結ヘッド４０２の給水側及び筒体４０１の出水側に設置されている。
【００１３】
濾過構造は、連結ヘッド４０２の給水側又は筒体４０１の出水側に一体成型されている濾過孔構造である。
【００１４】
上記の構成では、連結ヘッド４０２は、筒体４０１と出水管３とを連結し、容器４を出水管３の内部に固定することを容易にし、連結ヘッド４０２は、筒体４０１を封止する機能を更に有し、水溶性シリコン結晶を当該容器４の中に収容し、連結ヘッド４０２には濾過孔構造が設けられ、筒体４０１の出水側に濾過孔構造が設けられることにより、可溶性シリコン結晶が水の流れにより流されてしまうことを防ぐことができる。
【００１５】
連結ヘッド４０２は、２つの、異なる径を有する円柱体の組み合わせであり、各円柱体の外側面のいずれにもネジが開設されており、そのうち小径の円柱体は筒体４０１にネジ連結されている一方、大径の円柱体は出水管３の内壁にネジ連結され、大径の円柱体は中央部に給水溝が開設され、小径の円柱体には給水溝と連通している濾過孔が開設され、筒体４０１の出水側にストッパが設けられ、当該ストッパと筒体４０１とが一体成型されており、ストッパには複数の濾過孔が開設されている。
【００１６】
給水溝は三角溝、四角溝、五角溝又は六角溝であり、当該構造は、工具を用いて、容器４を出水管３の内部への取り付けを容易にする。
【００１７】
＜実施例２＞
図８〜図１１に示すように、本考案は蛇口を提供し、給水管１及び出水管３を含み、当該給水管１の内部に弁体２が取り付けられ、出水管３と給水管１とが取り外し可能に連結され、出水管３の内部に容器４が設置され、容器４は両端が開口し、両端の開口している位置にそれぞれ濾過構造が設置されており、当該容器４の内部には水溶性シリコン結晶がさらに収容され、弁体２を開くと、水が給水管１から容器４を経由して出水管３へと流れ込み、水溶性シリコン結晶が水にケイ素を添加可能になる。
【００１８】
さらに、出水管３と給水管１とがねじ山式または係止バックル式により取り外し可能に連結されている。
【００１９】
前記技術案によれば、出水管３と給水管１とを取り外し可能に連結し、出水管３の内部に容器４が取り付けられ、容器４は両端が開口し、水が給水管１から出水管３へと流れ込む際に当該容器４を経由し、この時に水溶性シリコン結晶がケイ素を水に溶解して、水にケイ素を添加するようになり、濾過構造は、水溶性シリコン結晶が水の流れにより流されてしまうことを防ぐことができる。
【００２０】
本願の重要考案として、容器４は筒体４０１及び連結ヘッド４０２を含み、連結ヘッド４０２は、両端がそれぞれ筒体４０１及び出水管３に連結され、筒体４０１の他端が給水管１に連結され、２つの濾過構造はそれぞれ筒体４０１の両端に設置されている。
【００２１】
濾過構造は濾過網であり、２つの濾過網が筒体４０１の両端に係止されている。
【００２２】
上記の構成では、濾過網を筒体４０１の両端の開口している位置に係止することにより、水溶性シリコン結晶が水の流れにより流されてしまうことを防ぐことができる。
【００２３】
連結ヘッド４０２は２つの、異なる径を有する円柱体の組み合わせであり、各円柱体の外側面のいずれにもネジが開設されており、そのうち大径の円柱体は筒体４０１にネジ連結される一方、小径の円柱体は出水管３の内壁にネジ連結されており、筒体４０１は、給水管１とネジ連結するために、他端がネジ端から延出している。
【図１】
0003218706.tif 000003
【図２】
0003218706.tif 000004
【図３】
0003218706.tif 000005
【図４】
0003218706.tif 000006
【図５】
0003218706.tif 000007
【図６】
0003218706.tif 000008
【図７】
0003218706.tif 000009
【図８】
0003218706.tif 000010
【図９】
0003218706.tif 000011
【図１０】
0003218706.tif 000012
【図１１】
0003218706.tif 000013
【図１２】
0003218706.tif 000014